(57)【要約】【課題】引き紐の配置作業を容易化することが可能な引き紐構造とされた検知器を提供する。【解決手段】本発明に係る検知器１は、取付面に固定された取付ベース２と、該取付ベース２と着脱自在に連結される検知器本体３とを備え、検知手段を収納した前記検知器本体３からは外部操作用の引き紐１１が引き出されてなるものであり、前記引き紐１１は、その内端部が前記検知器本体３に固定され、かつ、前記検知器本体３の内部に収納された操作手段９を経由して外部へと引き出されていることを特徴とする。【選択図】  図２
2004234089.tif 000002
【特許請求の範囲】
【請求項１】
取付面に固定された取付ベースと、該取付ベースと着脱自在に連結される検知器本体とを備え、検知手段を収納した前記検知器本体からは外部操作用の引き紐が引き出されてなる検知器であって、
前記引き紐は、その内端部が前記検知器本体に固定され、かつ、前記検知器本体の内部に収納された操作手段を経由して外部へと引き出されていることを特徴とする検知器。
【請求項２】
前記引き紐は、その内端部が前記検知器本体の底面部に固定され、かつ、その外端部が牽引されるのに伴って前記操作手段を外部から操作するものであることを特徴とする請求項１に記載した検知器。
【請求項３】
前記引き紐は、その内端部が前記検知器本体の底面部に突設された固定用のフックと結束され、かつ、前記操作手段に突設された外部操作用のフックと係合して配置されたものであることを特徴とする請求項２に記載した検知器。
【請求項４】
前記操作手段は、前記検知器本体の内部に収納された回路基板に搭載された警報音停止スイッチを動作させるものであることを特徴とする請求項１〜請求項３のいずれかに記載した検知器。
【発明の詳細な説明】
【０００１】
【発明の属する技術分野】
本発明は火災報知器等のような検知器に係り、詳しくは、その引き紐構造に関する。
【０００２】
【従来の技術】
従来から、火災の発生や人の存在等を検知する検知器のうちには電池を電源としたものがあり、その一例としては、図６で開放状態を示すような検知器５１がある。この検知器５１は例えば火災報知器であり、一端部同士が連結されたカバー５２を具備してなる検知器本体５３は、その底面部そのものが取付ネジ５４を用いたうえで建物の天井面や壁面等のような取付面（図示省略）に固定される。
【０００３】
そして、開閉自在なカバー５２でもって開口部が閉塞される検知器本体５３には、電源となる電池を収納するための電池ホルダ５５が設けられている。また、検知器本体５３の内部には、検知手段として機能する各種の電子回路部品や異常警報ブザー等（図示省略）を搭載した回路基板５６が収納されており、この回路基板５６上の所定位置には、異常警報ブザーの鳴動を停止させるための警報音停止スイッチ５７が設けられている。
【０００４】
さらに、警報音停止スイッチ５７は、回路基板５６上に一端部が支持され、かつ、外部からの押圧操作も可能な操作手段である押しボタン５８の揺動に伴って動作させられる構成を有している。つまり、ここでの押しボタン５８は、その揺動により警報音停止スイッチ５７を動作させる操作手段となっている。
【０００５】
一方、検知器本体５３からは押しボタン５８を外部操作するための引き紐５９が引き出されており、図７で要部のみを拡大して示すように、引き紐５９の内端部は、押しボタン５８の側面部に突設された外部操作用のフック６０と結束されている。そして、この引き紐５９は回路基板５６の貫通孔を挿通し、かつ、検知器本体５３の底面部をその拡がり方向に沿って挿通したうえ、検知器本体５３の側面部から外部へと引き出されている。
【０００６】
すなわち、この種の検知器５１においては、この検知器５１が人手の届きにくい建物の天井面に固定されている場合であっても、外部から引き紐５９の外端部を牽引することにより火災の発生に起因した異常警報ブザーの鳴動を停止させることが可能な構成を採用することが行われている。なお、このような引き紐構造を有する検知器５１の他の具体例としては、既に各種のものが周知となっている（例えば、特許文献１及び特許文献２参照）。
【０００７】
【特許文献１】
実開昭６２−８９０８７号公報
【０００８】
【特許文献２】
特開平１０−２６９４７４号公報
【０００９】
【発明が解決しようとする課題】
ところで、前記従来の検知器５１では、検知器本体５３の底面部及び回路基板５６の貫通孔を挿通させながら引き紐５９を配置した後、この引き紐５９の内端部を押しボタン５８の側面部に突設されたフック６０と結束している。つまり、より実体的にいえば、図６及び図７で示すように、押しボタン５８のフック６０に形成済みの貫通孔を挿通し終えた引き紐５９の内端部を結束し、フック６０の貫通孔から抜け出し得ない大きさの結び目を作成することが実行されている。
【００１０】
しかしながら、検知器本体５３における引き紐５９の配置スペースが狭隘であるにも拘わらず、引き紐５９を引き回しながら配置する作業は困難であり、作業性の悪化は避けられないのが実状である。また、フック６０の貫通孔から引き紐５９の内端部が抜け出すのを不可とするため、引き紐５９の内端部から形成される結び目を大きくしておかねばならないが、この場合には、大きな結び目をも収納可能な空間部を押しボタン５８のフック６０の周辺付近に確保しておくことが必要となってしまう。
【００１１】
本発明はこれらの不都合に鑑みて創案されたものであり、引き紐の配置作業を容易化することが可能な引き紐構造とされた検知器の提供を目的としている。
【００１２】
【課題を解決するための手段】
請求項１記載の発明に係る検知器は、取付面に固定された取付ベースと、該取付ベースと着脱自在に連結される検知器本体とを備え、検知手段を収納した前記検知器本体からは外部操作用の引き紐が引き出されてなるものであり、前記引き紐は、その内端部が前記検知器本体に固定され、かつ、前記検知器本体の内部に収納された操作手段を経由して外部へと引き出されていることを特徴とする。
【００１３】
請求項２記載の発明に係る検知器は請求項１に記載したものであり、前記引き紐は、その内端部が前記検知器本体の底面部に固定され、かつ、その外端部が牽引されるのに伴って前記操作手段を外部から操作するものであることを特徴とする。
【００１４】
請求項３記載の発明に係る検知器は請求項２に記載したものであり、前記引き紐は、その内端部が前記検知器本体の底面部に突設された固定用のフックと結束され、かつ、前記操作手段に突設された外部操作用のフックと係合して配置されたものであることを特徴とする。
【００１５】
請求項４記載の発明に係る検知器は請求項１〜請求項３のいずれかに記載したものであり、前記操作手段は、前記検知器本体の内部に収納された回路基板に搭載された警報音停止スイッチを動作させるものであることを特徴とする。
【００１６】
【発明の実施の形態】
図１は実施の形態に係る検知器の全体構造を示す分解斜視図、図２はその要部構造を示す側断面図であり、図３は検知器の要部構造を示す外観斜視図である。そして、図４は検知器の要部構造を示す破断斜視図であり、図５は検知器本体における引き紐の配置手順を示す説明図である。
【００１７】
本実施の形態に係る検知器１は例えば火災報知器であり、図１で示すように、建物の天井面や壁面等のような取付面（図示省略）に取り付けて固定される取付ベース２と、回動操作により取付ベース２と着脱自在に連結される検知器本体３とを備えている。ここでの取付ベース２は所定厚みの合成樹脂等を用いて作製されたうえ、その背面側が取付面に当接する略円板形状を有しており、所定位置ごとに形成済みの貫通孔４を挿通する取付ネジ（図示省略）を利用して取付面に固定される。
【００１８】
検知器本体３は厚みの薄い絶縁性の合成樹脂等から作製された略円形状の有底中空容器であり、その開口部は着脱自在な合成樹脂等のカバー５でもって閉塞されている。そして、検知器本体３には電池収納用の電池ホルダ（図示省略）が設けられており、この検知器本体３の内部には、図２〜図４で示すように、検知手段となる電子回路部品や異常警報ブザー等（図示省略）を搭載してなる回路基板６が収納されている。
【００１９】
なお、検知器本体３の底面部の背面側、つまり、取付ベース２と対面する底面部の背面側には係止孔（図示省略）が形成され、かつ、取付ベース２の対応する位置ごとには係止片７が形成されている。従って、この検知器本体３は、係止孔を係止片７と係合させたうえでの回動操作に伴って取付ベース２と連結される。
【００２０】
一方、検知器本体３に収納された回路基板６上の所定位置には、異常警報ブザーの鳴動を停止させるための警報音停止スイッチ８が設けられており、この警報音停止スイッチ８は、押しボタン９、つまり、その一端部が回路基板６上に支持されて外部からの押圧操作が可能な押しボタン９の揺動に伴って動作させられる構成を有している。すなわち、ここでの押しボタン９は警報音停止スイッチ８を動作させる操作手段であり、その側面部には外部操作用のフック１０、つまり、後述の引き紐１１と係合しあう凹部を有するフック１０が突設されている。
【００２１】
また、この検知器本体３からは押しボタン９でもって警報音停止スイッチ８を外部操作する際に使用される引き紐１１が引き出されており、この引き紐１１の内端部は、検知器本体３の底面部に突設された固定用のフック１２と結束されている。すなわち、より実体的にいえば、この引き紐１１の内端部は結び目として予め結束されたうえ、フック１２の凹部と係合して固定されている。なお、引き紐１１の内端部が、フック１２と直接的に結束されていてもよいことは勿論である。
【００２２】
さらに、内端部が検知器本体３の底面部のフック１２と結束された引き紐１１は、検知器本体３内の回路基板６上に設けられた警報音停止スイッチ８を動作させるための揺動可能な押しボタン９の側面部に突設されたフック１０の凹部と係合させられている。そして、中途部がフック１０と係合した引き紐１１の外端部は、検知器本体３の側面部から外部へと引き出されている。
【００２３】
ここで、本実施の形態に係る検知器本体３における引き紐１１の配置手順を、図５に基づいて説明する。まず、図５（ａ）で示すように、検知器本体３の底面部に突設されたフック１２の凹部に対し、予め結び目が形成された引き紐１１の内端部を引っ掛けて固定する。その結果、引き紐１１の内端部は、フック１２と結束された状態となる。次に、図５（ｂ）で示すように、電子回路部品や異常警報ブザー等が搭載され、かつ、警報音停止スイッチ８及び押しボタン９が設けられた回路基板６を、検知器本体３の内部に位置合わせしながら収納する。
【００２４】
その後、図５（ｃ）で示すように、検知器本体３のフック１２に内端部が固定された引き紐１１を引き起こすことにより、この引き紐１１の中途部を押しボタン９のフック１０に引っ掛けて係合する。なお、フック１０の凹部における角部を予め面取り加工しておくと、引き紐１１の係合作業が容易となる。引き続き、図５（ｄ）で示すように、中途部がフック１０に係合済みとなった引き紐１１の外端部を検知器本体３の側面部から外部へと引き出してしまうと、引き紐１１の配置作業は完了する。
【００２５】
すなわち、本実施の形態に係る検知器１では、引き紐１１の内端部を検知器本体３に固定し、かつ、この検知器本体３の内部に収納された操作手段である押しボタン９を経由したうえで引き紐１１の外端部を検知器本体３の外部へと引き出している。そのため、検知器１にあっては、引き紐１１の外端部を牽引すれば、押しボタン９が揺動して警報音停止スイッチ８が外部操作されることになり、その結果として火災の発生に起因した異常警報ブザーの鳴動が停止させることが可能となる。
【００２６】
なお、本実施の形態に係る検知器１では、警報音停止スイッチ８を動作させる押しボタン９が操作手段であるとしているが、このような押しボタン９のみに限られることはなく、本実施の形態と同様の引き紐１１を介しての牽引により動作させられるものでありさえすれば、他の操作手段であってもよいことは勿論である。また、本実施の形態においては検知器１が火災報知器であるとしているが、人の存在等を検知するものであってもよい。
【００２７】
【発明の効果】
本発明に係る検知器の引き紐構造では、検知器本体に内端部が固定された引き紐の中途部を押しボタンのような操作手段、つまり、検知器本体内に収納されて外部操作される操作手段と係合したうえ、この操作手段を経由して引き紐を検知器本体の外部へと引き出すことが行われている。従って、引き紐の内端部を大きな結び目などとしておく必要はなくなり、大きな結び目をも収納可能な空間部を操作手段の周辺付近に確保しておくことも不要となる。
【００２８】
また、本発明に係る検知器の引き紐構造であれば、狭隘な検知器本体の内部で引き紐を引き回して配置する必要はなく、ただ単に内端部が固定された引き紐を操作手段と係合させるだけのことによって引き紐を配置することが可能となる。そのため、引き紐の配置作業を容易化することができるという効果が得られる。
【図面の簡単な説明】
【図１】実施の形態に係る検知器の全体構造を示す分解斜視図である。
【図２】実施の形態に係る検知器の要部構造を示す側断面図である。
【図３】実施の形態に係る検知器の要部構造を示す外観斜視図である。
【図４】実施の形態に係る検知器の要部構造を示す破断斜視図である。
【図５】実施の形態に係る検知器本体における引き紐の配置手順を示す説明図である。
【図６】従来の形態に係る検知器の全体構造を示す外観斜視図である。
【図７】従来の形態に係る検知器の要部構造を拡大して示す分解斜視図である。
【符号の説明】
１    検知器
２    取付ベース
３    検知器本体
９    押しボタン（操作手段）
１１    引き紐
【図１】
2004234089.tif 000003
【図２】
2004234089.tif 000004
【図３】
2004234089.tif 000005
【図４】
2004234089.tif 000006
【図５】
2004234089.tif 000007
【図６】
2004234089.tif 000008
【図７】
2004234089.tif 000009